(57)【特許請求の範囲】
【請求項１】
栽培植物を植え付ける植付け部を有する円柱状木炭からなり、該円柱状木炭を介して前記栽培植物に水分を補給するもので、
前記円柱状木炭は円柱中心から円柱外表面に向けて放射状に拡がる割れ目を有し、前記植付け部は円柱状木炭の一端面中央部に割れ目の中心部をくりぬいて形成される凹部によって構成され、
水が溜められたカップ状容器に、植付け部の反対側の端面を容器底面に当接させ、植付け部に連通する木炭の割れ目に根をはわせると共に、木炭を介してカップ状容器内から吸い上げられた水を根から吸収する構成となっていることを特徴とする植物育成床。
【発明の詳細な説明】
【０００１】
【発明の属する技術分野】
本発明は、観賞用の花等を栽培するフラワーベース等の植物栽培用の植物育成床に関し、特に、木炭を介して栽培植物に水分を補給する植物育成床に関するものである。
【０００２】
【従来の技術】
植物は、例えば植木鉢等に植え付けたり球根を水栽培するように、自然の地表土から切り離した状態でも生育が可能なので、植木鉢等により室外や室内の任意の場所に持ち運びあるいは配置することができる。自然に生育している植物は、その植物が生えている土中から水分を得ることにより、水分に含有される生育に必要な養分を摂取している。従って、植木鉢に植え付けられた植物の場合、土中から水分を得ることができないため、定期的に水道水等による水かけを行い水分を補給する必要がある。
【０００３】
【発明が解決しようとする課題】
しかしながら、植木鉢の植物に補給される水道水は、飲料水として利用するために人為的に瀘過され更に殺菌消毒されており、土中から得られる自然水には含まれている植物の生育に必要な養分となる多種多様のミネラル成分が少ない。このため、自然の地表土から切り離されて人工的に生育される植物にも、自然に生育している植物の場合と同様に、生育に必要な養分を充分に補給することが望まれる。
【０００４】
本発明は、上記従来技術を考慮してなされたものであって、生育に必要な養分となるミネラル成分が多く含有された水分を補給することができる植物育成床の提供を目的とする。
【０００５】
【課題を解決するための手段】
上記目的を達成するため、本発明においては、栽培植物を植え付ける植付け部を有する円柱状木炭からなり、該円柱状木炭を介して前記栽培植物に水分を補給するもので、
前記円柱状木炭は円柱中心から円柱外表面に向けて放射状に拡がる割れ目を有し、前記植付け部は円柱状木炭の一端面中央部に割れ目の中心部をくりぬいて形成される凹部によって構成され、
水が溜められたカップ状容器に、植付け部の反対側の端面を容器底面に当接させ、植付け部に連通する木炭の割れ目に根をはわせると共に、木炭を介してカップ状容器内から吸い上げられた水を根から吸収する構成となっていることを特徴とする。
【０００６】
上記構成によれば、植物育成床に植え付けられた栽培植物は、植付け部に連通する割れ目に根をはわせて成育することができ、またカップ状容器内から植物育成床を介して吸い上げられた水をその根から吸収する。これにより、根から吸収される水分は、木炭からなる植物育成床によって不純物が瀘過除去されると共に多種多様のミネラル成分が含有された水分となり、水の腐敗が防止されて栽培植物の根腐れを防ぐとともに、栽培植物の成育に必要な養分となるミネラル成分が多く含有された水分を補給することができる。
【０００７】
【発明の実施の形態】
好ましい実施の形態においては、前記植付け部は、円柱状木炭の一端面中央部に形成された凹部であることを特徴としている。
【０００８】
この構成により、木炭内に放射状に形成された多数の割れ目の中央部に植付け部が形成されることになり、任意の形状及び深さの植付け部を容易に形成することができるとともに、割れ目に沿って根がバランスよく良好に発育する。
【０００９】
【実施例】
以下、本発明の一実施例を図面に基づいて説明する。
図１は、本発明の一実施例に係る植物育成床の斜視図であり、図２は、図１の植物育成床の使用例を示す斜視図である。
【００１０】
図１に示すように、植物育成床１０は、木炭を適当な長さで木の軸に対しほぼ直交して輪切り状に切断した円柱状木炭からなり、その円形切断面である一端面１０ａの中央部には、植付け部１１がくりぬかれるように形成されている。
【００１１】
この植物育成床１０が形成される木炭としては、周面の表皮に浮きがなく密着しているとともに、切断端面１０ａの中心を通る円柱中心から円柱外表面に向けて放射状に拡がる割れ目（菊割れ）１２ができるだけ多く形成されているものが良い。このような条件を備えるものとして、例えば茶道で用いられるくぬぎ（櫟）の木を材料とする茶道用櫟炭がある。なお、本発明では木炭の種類は問わず、備長炭その他の木炭を用いることができる。
【００１２】
植付け部１１は、切断端面１０ａを任意の深さに切り欠いた凹部からなり、ここに後述する栽培植物１３を植え付ける（図２参照）。植付け部１１用の凹部は、木炭内に放射状の無数の割れ目１２の中心部をくりぬいて切り欠くことにより、任意の形状及び深さに容易に形成することができる。
【００１３】
図２に示すように、栽培対象となる任意の栽培植物１３が植え付けられた植物育成床１０は、水１４が溜められた浅いカップ状容器１５に収納されて用いられる。栽培植物１３の植え付けは、植付け部１１に土又はその他の埋め込み材１６を盛って栽培植物１３の種子や苗や株等を埋めて行なう。この場合、室内観賞用として用いる場合には、雑菌等の不純物が混入している可能性がある土はなるべく使用せず、遮光性および保水性があり植物の成長に合わせて変形できる材料、例えば高分子吸収シートや人工粘土を用いることが望ましい。その他、スポンジ性のチップ材やプラスチック粒状体などを盛ってもよい。なお、このような埋め込み材１６を用いずに植付け部１１に直接球根等を置いてもよい。
【００１４】
カップ状容器１５には、植付け部１１の反対側の切断端面１０ｂを容器底面に当接させて植物育成床１０が置かれ、この切断端面１０ｂが水１４に漬かっている。この下側の切断端面１０ｂが水に漬かっていることにより、植物育成床１０の内部では、毛細管現象により、割れ目１２を介して植付け部１１が形成された上側の切断端面１０ａの近傍まで水１４が浸透する。カップ状容器１５に溜められる水１４の量は、少なくとも植物育成床１０が吸い上げ可能な量が確保されていれば良い。
【００１５】
この割れ目１２を介して植物育成床１０の内部に吸い上げられた水１４は、多種類のミネラル成分を含むとともに不純物が瀘過され除去された状態にある。即ち、木炭には、２〜３％のミネラル成分（カルシウムや鉄やマグネシウム等の無機成分）が含まれている。これらは、もともと木炭の材料である原木が生長する中で土中から吸収した養分であり、これらが原木から木炭に焼成される過程で約３倍に濃縮され、しかもイオン化し易い（水に溶け易い）形となっている。また、木炭は内部に無数の隙間（割れ目１２）を有する多孔質体であり、その隙間の表面積は１ｇ当り約３００ｍ2になる。その隙間に、例えば水道水に含まれる消毒用の塩素や有害な水銀あるいはトリハロメタン等の有機物が吸着除去されるため、自然水に近い水が得られるとともに、雑菌等が除去され長期間にわたって水１４の腐敗が防止される。
【００１６】
上記構成を有する植物育成床１０において、植え付けられた栽培植物１３は、植付け部１１に連通する割れ目１２に根をはわせて、カップ状容器１５内から植物育成床１０を介して吸い上げられた水１４をその根から吸収する。根から吸収される水１４は、植物育成床１０を介することにより、不純物や雑菌が瀘過され除去されると共に、土中から得られる自然水のように生育に必要な養分となる多種多様のミネラル成分を多く含有するものである。
【００１７】
このため、水１４の腐敗が防止されて根腐れを防ぐとともに、人工的に生育される栽培植物１３にも、自然に生育している植物の場合と同様に生育に必要な養分となるミネラル成分が多く含有された水分を補給することが可能となり、栽培植物１３をより生育に適した環境で栽培することができる。
【００１８】
なお、植物育成床１０を収納するカップ状容器１５は、図２に示す形状のものに限らず、植物育成床１０を収納して必要な量の水１４を溜めることができるものであればいかなる形状のものでもよい。
【００２０】
本発明は、観賞用の花を栽培するフラワーベースに限らず、家庭菜園等による野菜や苗あるいは果実その他各種植物を育成するために水を供給する育成床に対し適用可能である。
【００２１】
【発明の効果】
以上説明したように、本発明に係る植物育成床によれば、木炭からなる植物育成床に植え付けられた栽培植物は、植付け部に連通する割れ目に根をはわせて、カップ状容器内から植物育成床を介して吸い上げられた水をその根から吸収するので、根から吸収される水分は、植物育成床によって不純物が瀘過除去されると共に多種多様のミネラル成分が多く含有された水分となり、水の腐敗が防止されて栽培植物の根腐れを防ぐとともに、栽培植物の生育に必要な養分となるミネラル成分が多く含有された水分を補給することができ、栽培植物をより生育に適した環境で栽培することができる。
【００２２】
また、前記植付け部は、円柱状木炭の一端面中央部に形成された凹部である構成とすれば、木炭内に放射状に形成された多数の割れ目の中心部を切り欠いて、縦置きした円柱状木炭の上端面に植付け部が形成されることになり、任意の形状及び深さの植付け部を容易に形成することができるとともに、割れ目に沿って根がバランスよく良好に発育する。
【図面の簡単な説明】
【図１】  本発明の一実施例に係る植物育成床の斜視図。
【図２】  図１の植物育成床の使用例を示す斜視図。
【符号の説明】
１０：植物育成床、１０ａ，１０ｂ：切断端面、１１：植付け部、
１２：割れ目、１３：栽培植物、１４：水、１５：カップ状容器、
１６：埋め込み材。
【図１】
0003947816.tif 000002
【図２】
0003947816.tif 000003